(57)【要約】【課題】発光期間の異常を検出することが可能な光加入者線終端装置を提供すること。【解決手段】監視部１５は、光送受信部１４による発光期間を検出し、その発光期間が第１のしきい値未満または第２のしきい値以上の場合に、光送受信部１４の発光異常と判定する。そして、監視部１５は、光送受信部１４の光出力を強制的に停止させるか、異常発光したことを示す情報をＯＬＴに通知する。したがって、発光期間の異常を検出して異常処理を行なうことが可能となる。【選択図】図１
2007318524.tif 000002
【特許請求の範囲】
【請求項１】
光加入者線端局装置との間でフレームを送受信する送受信手段と、
前記送受信手段による発光期間を検出する発光期間検出手段と、
前記送受信手段によって受信されたグラントを抽出する抽出手段と、
前記発光期間検出手段によって検出された発光期間または前記抽出手段によって抽出されたグラントに基づいて前記送受信手段の発光異常を検出する発光異常検出手段とを含む光加入者線終端装置。
【請求項２】
前記発光異常検出手段は、前記発光期間検出手段によって検出された発光期間が第１のしきい値未満の場合に、前記送受信手段の発光異常と判定する、請求項１記載の光加入者線終端装置。
【請求項３】
前記第１のしきい値は、前記送受信手段のレーザのオンに要する時間、レーザのオフに要する時間、クロック同期時間、およびレポートフレームの送信時間に基づいて決定される、請求項２記載の光加入者線終端装置。
【請求項４】
前記光加入者線終端装置はさらに、前記光加入者線端局装置に送信するフレームを格納するキューを含み、
前記発光異常検出手段は、前記発光期間検出手段によって検出された発光期間が前記キューに設定された第２のしきい値に対応する期間を超える場合に、前記送受信手段の発光異常と判定する、請求項１記載の光加入者線終端装置。
【請求項５】
前記発光異常検出手段は、前記抽出手段によってグラントが抽出されていないときに、前記発光期間検出手段によって発光が検出された場合に、前記送受信手段の発光異常と判定する、請求項１記載の光加入者線終端装置。
【請求項６】
前記光加入者線終端装置はさらに、前記光加入者線端局装置に送信するフレームを格納するキューを含み、
前記発光異常検出手段は、前記発光期間検出手段によって検出された発光期間が前記キューに設定された第２のしきい値に対応する期間を超える第１の異常、前記抽出手段によってグラントが抽出されていないときに前記発光期間検出手段によって発光が検出される第２の異常、および前記発光期間検出手段によって検出された発光期間が第１のしきい値未満である第３の異常のうち、少なくとも２つの異常を検出し、
前記光加入者線終端装置はさらに、異常の種別によって異なる異常処理を行なう異常処理手段を有し、第３の異常、第２の異常、第１の異常の順で各異常処理は、システム全体への影響をより少なくする処理であることを特徴とする、請求項１記載の光加入者線終端装置。
【請求項７】
前記光加入者線終端装置はさらに、前記発光異常検出手段によって発光異常が検出された場合に、前記送受信手段による発光の停止、および前記送受信手段による前記光加入者線端局装置への異常通知を選択的に行なう異常処理手段を含む、請求項１〜５のいずれかに記載の光加入者線終端装置。
【発明の詳細な説明】
【技術分野】
【０００１】
本発明は、複数の宅側装置が媒体を共有してデータの伝送を行なう媒体共有型通信であるＰＯＮ（Passive Optical Network）に関し、特に、データをイーサネット（登録商標）フレームのまま伝送を行なうＥＰＯＮ（Ethernet（登録商標） PON）において発光異常を検出するＯＮＵ（光加入者線終端装置）に関する。
【背景技術】
【０００２】
近年、インターネットが広く普及しており、利用者は世界各地で運営されているサイトの様々な情報にアクセスし、その情報を入手することが可能である。それに伴って、ＡＤＳＬ（Asymmetric Digital Subscriber Line）、ＰＯＮを含むＦＴＴＨ（Fiber To The Home）などのブロードバンドアクセスも広く普及してきている。
【０００３】
図６は、従来のＰＯＮシステムの概略構成を示すブロック図である。このＰＯＮシステムは、主に電話局などに設置されるＯＬＴ（光加入者線端局装置）１００と、主に各宅内に設置される複数のＯＮＵ１１０−１〜１１０−５と、ＯＬＴ１００から送出される光信号を分岐してＯＮＵ１１０−１〜１１０−５に送出し、ＯＮＵ１１０−１〜１１０−５から送出される光信号を集束してＯＬＴ１００に送出する光カプラ１２３と、ＯＮＵ１１０−１〜１１０−５のそれぞれに接続されるユーザ端末１１５−１〜１１５−５とを含む。なお、ＯＮＵ１１０−１〜１１０−５は、それぞれ同じ構成を有しており、台数はこれに限定されない。
【０００４】
ＯＬＴ１００は、光ファイバ１２１を介して光カプラ１２３に接続される。ＯＮＵ１１０−１〜１１０−５のそれぞれは、光ファイバ１２２−１〜１２２−５を介して光カプラ１２３に接続される。また、ＯＮＵ１１０−１〜１１０−５のそれぞれは、ケーブル１２４−１〜１２４−５を介してユーザ端末１１５−１〜１１５−５に接続される。
【０００５】
図７は、ＰＯＮシステムにおける帯域の分散割当方式の一例を示す図である。この図は、ＯＮＵ数を３とした場合の帯域割当てと、ＯＬＴ−ＯＮＵ間のグラントおよびレポートの送受信とを示すシーケンス図である。
【０００６】
まず、ＯＬＴ１００は、各ＯＮＵのレポートの送出開始時刻を算出し、グラント１３１〜１３３に格納してＯＮＵ１１０−３、１１０−２および１１０−１に順次送出する。ＯＬＴ１００は、ＯＮＵ１１０−３、１１０−２および１１０−１からデータの送出要求量を含んだレポート１３４〜１３６を受信すると、最初にデータの送出を許可するＯＮＵ１１０−３のデータの送出開始時刻および送出許可量を算出し、グラント１３７に格納してＯＮＵ１１０−３に送出する。
【０００７】
次に、ＯＬＴ１００は、ＯＮＵ１１０−３から送出されるデータ１３８（１３８Ａ）を受信するとともに、これと並行してＯＮＵ１１０−２のデータの送出開始時刻および送出許可量を算出し、グラント１３９に格納してＯＮＵ１１０−２に送出する。なお、ＯＮＵ１１０−３から送出されるデータ１３８（１３８Ａ）には、次回の送出要求量を格納したレポートも含まれる。
【０００８】
次に、ＯＬＴ１００は、ＯＮＵ１１０−２から送出されるデータ１４０（１４０Ａ）を受信するとともに、これと並行してＯＮＵ１１０−１のデータの送出開始時刻および送出許可量を算出し、グラント１４１に格納してＯＮＵ１１０−１に送出する。なお、ＯＬＴ１００は、グラント１４１をＯＮＵ１１０−１に送出した後に、ＯＮＵ１１０−３に対するグラントを算出して送出する。また、ＯＮＵ１１０−２から送出されるデータ１４０（１４０Ａ）には、次回の送出要求量を格納したレポートも含まれる。
【０００９】
次に、ＯＬＴ１００は、ＯＮＵ１１０−１から送出されるデータ１４２（１４２Ａ）を受信する。なお、ＯＮＵ１１０−１から送出されるデータ１４２（１４２Ａ）には、次回の送出要求量を格納したレポートも含まれる。以降同様の処理が繰返され、ＯＬＴ１００は順次ＯＮＵ１１０−１〜１１０−３に対して帯域を割当てて、データの受信を繰返す。
【００１０】
このようなＰＯＮシステムにおいて、たとえば、ＯＮＵ１１０−１の回路が故障して、上りのタイミング制御がうまくいかなくなった場合、他のＯＮＵからの上りフレームと衝突することが起こり得る。この場合、故障したＯＮＵを特定してＰＯＮシステムから切り離し、システム全体を安定動作させる必要がある。このような技術に関連する発明として、以下に示す特許文献１および特許文献２に開示されたものがある。
【００１１】
特許文献１に開示されたＰＯＮシステムにおいては、親局が、複数の子局を１つずつ指定して、子局の発光をオフするコマンドを含めた信号を順次下り送信し、各子局はそのコマンドに基づいて自局の発光を次々とオフする。親局は、消光不良の子局がコマンドに基づいて自局を消光させると、今まで継続して受信されていた光信号が消滅することで、当該子局の故障であることを判別することができる。
【００１２】
特許文献２に開示された光送受信装置においては、光送受信器が予め設定された期間以上連続して光信号を送信すると、その光信号の送信を停止させる光出力暴走防止回路を設けるようにしたものである。
【特許文献１】特開２００４−１１２７４６号公報
【特許文献２】特開２００４−３２５４１号公報
【発明の開示】
【発明が解決しようとする課題】
【００１３】
特許文献１に開示された発明は、回路の故障などによって常時発光状態となった子局を特定することは可能である。しかしながら、子局の異常状態は消光できなくなる場合だけでなく、たとえば、子局の回路の故障などによって発光開始タイミングがずれてしまい、帯域が割当てられていない期間に子局が発光するといった不定期的に発生する障害もある。特許文献１においては、このような異常を判別して異常な子局を特定することができないといった問題点があった。
【００１４】
また、特許文献２に開示された発明は、予め設定された期間以上連続して送信される光信号を検出し、光信号の送信を停止させることが可能である。しかしながら、特許文献１と同様に、帯域が割当てられていない期間に子局が発光するといった不定期的に発生する異常を検出することができないといった問題点があった。
【００１５】
本発明は、上記問題点を解決するためになされたものであり、第１の目的は、発光期間の異常を検出することが可能な光加入者線終端装置を提供することである。
【００１６】
第２の目的は、不定期的に発生する発光異常を検出することが可能な光加入者線終端装置を提供することである。
【課題を解決するための手段】
【００１７】
本発明のある局面に従えば、光加入者線終端装置は、光加入者線端局装置との間でフレームを送受信する送受信手段と、送受信手段による発光期間を検出する発光期間検出手段と、送受信手段によって受信されたグラントを抽出する抽出手段と、発光期間検出手段によって検出された発光期間または抽出手段によって抽出されたグラントに基づいて送受信手段の発光異常を検出する発光異常検出手段とを含む。
【００１８】
好ましくは、発光異常検出手段は、発光期間検出手段によって検出された発光期間が第１のしきい値未満の場合に、送受信手段の発光異常と判定する。
【００１９】
さらに好ましくは、第１のしきい値は、送受信手段のレーザのオンに要する時間、レーザのオフに要する時間、クロック同期時間、およびレポートフレームの送信時間に基づいて決定される。
【００２０】
好ましくは、光加入者線終端装置はさらに、光加入者線端局装置に送信するフレームを格納するキューを含み、発光異常検出手段は、発光期間検出手段によって検出された発光期間がキューに設定された第２のしきい値に対応する期間を超える場合に、送受信手段の発光異常と判定する。
【００２１】
好ましくは、発光異常検出手段は、抽出手段によってグラントが抽出されていないときに、発光期間検出手段によって発光が検出された場合に、送受信手段の発光異常と判定する。
【００２２】
好ましくは、光加入者線終端装置はさらに、光加入者線端局装置に送信するフレームを格納するキューを含み、発光異常検出手段は、発光期間検出手段によって検出された発光期間がキューに設定された第２のしきい値に対応する期間を超える第１の異常、抽出手段によってグラントが抽出されていないときに発光期間検出手段によって発光が検出される第２の異常、および発光期間検出手段によって検出された発光期間が第１のしきい値未満である第３の異常のうち、少なくとも２つの異常を検出し、光加入者線終端装置はさらに、異常の種別によって異なる異常処理を行なう異常処理手段を有し、第３の異常、第２の異常、第１の異常の順で各異常処理は、システム全体への影響をより少なくする処理であることを特徴とする。
【００２３】
好ましくは、光加入者線終端装置はさらに、発光異常検出手段によって発光異常が検出された場合に、送受信手段による発光の停止、および送受信手段による光加入者線端局装置への異常通知を選択的に行なう異常処理手段を含む。
【発明の効果】
【００２４】
本発明のある局面によれば、発光異常検出手段が、発光期間検出手段によって検出された発光期間または抽出手段によって抽出されたグラントに基づいて送受信手段の発光異常を検出するので、発光期間の異常または不定期的に発生する発光異常を検出することが可能となる。
【００２５】
また、発光異常検出手段は、発光期間検出手段によって検出された発光期間が第１のしきい値未満の場合に、送受信手段の発光異常と判定するので、発光期間が短い異常を容易に検出することが可能となる。
【００２６】
また、第１のしきい値が、送受信手段のレーザのオンに要する時間、レーザのオフに要する時間、クロック同期時間、およびレポートフレームの送信時間に基づいて決定されるので、発光期間が短い異常をさらに正確に検出することが可能となる。
【００２７】
また、発光異常検出手段は、発光期間検出手段によって検出された発光期間がキューに設定された第２のしきい値に対応する期間を超える場合に、送受信手段の発光異常と判定するので、発光期間が長い異常を容易に検出することが可能となる。
【００２８】
また、発光異常検出手段は、抽出手段によってグラントが抽出されていないときに、発光期間検出手段によって発光が検出された場合に、送受信手段の発光異常と判定するので、非グラント期間に発光するといったような不定期的に発生する発光異常を容易に検出することが可能となる。
【００２９】
また、異常処理手段が、異常の種別によって異なる異常処理を行ない、第３の異常、第２の異常、第１の異常の順で各異常処理は、システム全体への影響をより少なくする処理であるので、システムの復旧を容易に行なうことが可能となる。
【００３０】
また、異常処理手段は、発光異常検出手段によって発光異常が検出された場合に、送受信手段による発光の停止、および送受信手段による光加入者線端局装置への異常通知を選択的に行なうので、発光異常の種別に応じた異常処理を的確に行なうことが可能となる。
【発明を実施するための最良の形態】
【００３１】
図１は、本発明の実施の形態におけるＯＮＵの概略構成を示すブロック図である。このＯＮＵ１は、コンピュータなどの端末に接続される送受信部１１と、ＭＡＣ（Media Access Control）層のプロトコル制御などを行なう通信制御部１２と、シリアライザ・デシリアライザ（ＳＥＲＤＥＳ）１３と、ＯＬＴとの間でフレームの送受信を行なう光送受信部１４と、ＯＮＵの発光不良による障害の有無を監視する監視部１５と、ＭＡＣフレームを蓄積するキューとして使用されるバッファ１６とを含む。
【００３２】
送受信部１１は、通信制御部１２に接続され、通信制御部１２から受けたデータを端末に送信し、端末から受信したデータを通信制御部１２に出力する。
【００３３】
光送受信部１４は、光ファイバを介してＯＬＴと接続され、受光したレーザ光を電気信号に変換して出力する受光部と、ＳＥＲＤＥＳ１３から受けた電気信号に従ってレーザを発光する発光部とを含む。
【００３４】
ＳＥＲＤＥＳ１３は、光送受信部１４に接続され、光送受信部１４から入力されるシリアルの電気信号をパラレル信号に変換して通信制御部１２に出力し、通信制御部１２から受けたパラレル信号をシリアルの電気信号に変換して光送受信部１４に出力する。
【００３５】
通信制御部１２は、ＳＥＲＤＥＳ１３からの下りデータに対して、自身へのデータかどうかを判定し、自身へのデータでない場合、そのデータを廃棄する。また、通信制御部１２は、自身へのデータがグラントの場合、そのグラント情報を格納し、上り送信時のタイミング制御を行なう。自身へのデータが通常データであった場合、送受信部１１に出力する。さらに、通信制御部１２は、送受信部１１から受けた上りデータをバッファ１６に格納し、割当てられたグラント期間にＳＥＲＤＥＳ１３に出力する。
【００３６】
通信制御部１２は、データフレームを送信するのにどのくらいの帯域が必要かを示すレポートフレーム（制御フレーム）を生成し、ＳＥＲＤＥＳ１３および光送受信部１４を介してＯＬＴに送信する。
【００３７】
図２は、レポートフレームの生成方法を説明するための図である。図２に示すように、キュー（バッファ１６）には閾値が設けられており、帯域効率を向上させるために、そのしきい値以下でかつ最大のＭＡＣフレーム境界をレポートフレームとしてＯＬＴに通知する。図２においては、ＭＡＣフレーム＃２までのキュー長が通知される。このしきい値は、通常１６μｓから１２８μｓ程度で送信できる量である。
【００３８】
ＯＬＴは、ＯＮＵ１からの帯域要求に従ってグラントフレームを生成してＯＮＵ１に通知することにより、グラント（送信開始時刻、送信時間）を割当てる。通常は、帯域効率を向上させるために、ＯＮＵからの要求と同じだけの量を送信できる期間をグラント長として与える。グラント長は２μｓから１２８μｓ程度であり、ＯＮＵにおけるキューのしきい値設定に依存する。
【００３９】
なお、最低の２μｓは、ＯＮＵ１のキューに送信すべきＭＡＣフレームが格納されておらず、ＯＮＵ１がＯＬＴに対してレポートフレームだけを送信する場合の時間に相当する。この２μｓには、レーザのオンに要する時間、レーザのオフに要する時間、１０ビットのコードのスタートを検出するクロック同期時間などを含んでいる。
【００４０】
ＯＮＵの発光期間がこのような範囲に入っていない場合には、ＯＮＵ１がグラントを誤認識していると考えられる。通信制御部１２は、ＯＬＴからグラントフレームを受信すると、その旨を監視部１５に通知する。
【００４１】
監視部１５は、後述のように、光送受信部１４内の送信部からの光出力をモニタすることによってＯＮＵ１自身が発光していることを検出する。また、監視部１５は、光送受信部１４内の送信部に供給される駆動電圧または駆動電流をモニタすることによってＯＮＵ１自身が発光していることを検出してもよい。
【００４２】
監視部１５は図示しないタイマを有しており、光送受信部１４による発光の開始を検出してタイマをスタートさせる。そして、監視部１５は、光送受信部１４による消光を検出するとタイマをストップさせて、ＯＮＵ１自身の発光期間を検出する。
【００４３】
上述のように、ＰＯＮの上り通信は１対多通信であり、時分割による通信制御が行なわれている。異常ＯＮＵは、自身に与えられていないグラント期間に発光を行なうものであり、この異常発光によって、正しくグラントが与えられた正常なＯＮＵの通信を妨害する。なお、監視部１５における異常検出方法は後述する。
【００４４】
図３は、光送受信部１４内の送信部の詳細を示す図である。この送信部は、発光強度を制御する制御部２１と、レーザダイオード（ＬＤ）２３を駆動するドライバ２２と、ＬＤ２３による発光を受光するフォトダイオード（ＰＤ）２４と、ＰＤ２４による受光信号を平均化するローパスフィルタ（ＬＰＦ）２５と、ＬＤ２３による発光をＯＬＴに伝送する光ファイバ２６とを含む。
【００４５】
制御部２１は、ＬＰＦ２５から出力される信号をフィードバックして、発光強度が一定となるようにドライバ２２の駆動を制御する。また、ＬＰＦ２５から出力される信号は監視部１５に与えられる。監視部１５は、ＬＰＦ２５からの信号を受けて発光期間を検出する。また、監視部１５は、ドライバ２２に供給される駆動電圧または駆動電流をモニタすることによって発光期間を検出するようにしてもよい。
【００４６】
図４は、監視部１５による発光期間の検出を説明するための図である。光送受信部１４内のＬＤ２３は、ＳＥＲＤＥＳ１３から受けるバースト信号に応じて発光する。ＰＤ２４は、ＬＤ２３の発光を受けて電気信号に変換してＬＰＦ２５に出力する。図４に示すように、ＬＰＦ２５はＰＤ２４から受けたバースト信号を平均化して監視部１５に与える。監視部１５は、ＬＰＦ２５から受けた信号に応じてタイマのスタート／ストップを行って、発光期間の検出を行なう。
【００４７】
図５は、本発明の実施の形態におけるＯＮＵ１の処理手順を説明するためのフローチャートである。まず、監視部１５は、ＬＰＦ２５からの信号によってＯＮＵ１自身の発光を検出すると（Ｓ１１）、通信制御部１２によってグラントが受信済みであるか否かを判定する（Ｓ１２）。
【００４８】
グラントを受信していなければ（Ｓ１２，Ｎｏ）、ＯＮＵ１の非グラント期間に発光したとして、異常処理を行なう（Ｓ１３）。この異常処理として、たとえば、監視部１５が光送受信部１４内の送信部への駆動電源を停止させることによって光出力を停止させる。また、監視部１５が異常発光を検出したことを通信制御部１２に通知し、通信制御部１２がＯＮＵ１の筐体に設けられたＬＥＤを点灯させてＯＮＵ１の利用者に知らせるようにしてもよいし、通信制御部１２が管理フレームにＯＮＵ１が異常発光したことを示す情報を格納してＯＬＴに通知するようにしてもよい。
【００４９】
グラントを受信していれば（Ｓ１２，Ｙｅｓ）、監視部１５はタイマを起動して（Ｓ１４）、ＬＰＦ２５からの信号によってＯＮＵ１自身による消光を検出したか否かを判定する（Ｓ１５）。
【００５０】
ＯＮＵ１自身の消光を検出していなければ（Ｓ１５，Ｎｏ）、監視部１５はタイマの値を参照して、発光期間が第２のしきい値を超えたか否かを判定する（Ｓ１６）。この第２のしきい値は最大発光期間を示しており、キューに設定されるしきい値に対応する。したがって、キューのしきい値が１２８μｓで送信できる量であれば、この第２のしきい値として１２８μｓが用いられる。なお、第２のしきい値として、レポートフレームのみを送信する場合の発光期間２μｓを加えた値を用いるようにしてもよい。
【００５１】
発光期間が第２のしきい値を超えていなければ（Ｓ１６，Ｎｏ）、ステップＳ１５に戻って以降の処理を繰返す。また、発光期間が第２のしきい値を超えていれば（Ｓ１６，Ｙｅｓ）、発光期間が異常であるとして異常処理を行なう（Ｓ１７）。この異常処理は、ステップＳ１３の処理と同様である。
【００５２】
ステップＳ１５において、ＯＮＵ１自身の消光が検出されれば（Ｓ１５，Ｙｅｓ）、監視部１５はタイマの値を参照して、発光期間が第１のしきい値未満であるか否かを判定する（Ｓ１８）。この第１のしきい値は最小発光期間を示しており、キューに送信すべきＭＡＣフレームが存在せず、レポートフレームのみを送出する場合の発光期間に相当する。したがって、レポートフレームのみを送出するための発光期間が２μｓであれば、この第１のしきい値として２μｓが用いられる。
【００５３】
発光期間が第１のしきい値未満であれば（Ｓ１８，Ｙｅｓ）、発光期間が異常であるとして異常処理を行なう（Ｓ１９）。この異常処理は、ステップＳ１３の処理と同様である。
【００５４】
また、発光期間が第１のしきい値以上であれば（Ｓ１８，Ｎｏ）、タイマをリセットし（Ｓ２０）、グラントを未受信の状態にして（Ｓ２１）、処理を終了する。
【００５５】
なお、ステップＳ１３、Ｓ１７およびＳ１９において別々の異常処理を行なうようにしてもよい。ＰＯＮシステムでは、光加入者線終端装置が当該装置に割当てられた発光期間以外の期間で発光してしまうと（異常発光）、他の光加入者線終端装置の発光と重なり、光加入者線端局装置での光受信に影響を与える。特に異常発光の期間が長い場合や異常発光のタイミングによっては、ＰＯＮシステム全体に致命的な影響を与えることがある。たとえば、発光期間が第２のしきい値を超える場合の発光異常が最も致命的であるので、この場合には監視部１５が光送受信部１４内の送信部への駆動電源を停止させることによって光出力を強制的に停止させる。また、その次に致命的な非グラント期間に光送受信部１４が発光する発光異常の場合には、通信制御部１２が管理フレームにＯＮＵ１が異常発光したことを示す情報を格納してＯＬＴに通知する。そして、発光期間が第１のしきい値未満の発光異常の場合には、特に異常処理を行なわない。
【００５６】
このように、発光異常の種別によって異なる異常処理を行うことにより、ＰＯＮシステム全体の影響がより少なくなるようにすることも可能である。
【００５７】
以上説明したように、本実施の形態におけるＯＮＵによれば、監視部１５は、非グラント期間に光送受信部１４が発光した場合に異常発光と判定し、異常処理を行なうようにしたので、不定期的に発生する異常をも検出して処理することが可能となった。
【００５８】
また、監視部１５は、発光期間が第１のしきい値未満の場合、または発光期間が第２のしきい値以上の場合に誤発光であると判定し、異常処理を行なうようにしたので、通信制御部１２がグラント情報を誤って解釈して発光期間が異常となった場合などにも異常処理を行なうことが可能となった。
【００５９】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６０】
【図１】本発明の実施の形態におけるＯＮＵの概略構成を示すブロック図である。
【図２】レポートフレームの生成方法を説明するための図である。
【図３】光送受信部１４内の送信部の詳細を示す図である。
【図４】監視部１５による発光期間の検出を説明するための図である。
【図５】本発明の実施の形態におけるＯＮＵ１の処理手順を説明するためのフローチャートである。
【図６】従来のＰＯＮシステムの概略構成を示すブロック図である。
【図７】ＰＯＮシステムにおける帯域の分散割当方式の一例を示す図である。
【符号の説明】
【００６１】
１，１１０−１〜１１０−５  ＯＮＵ、１１  送受信部、１２  通信制御部、１３  ＳＥＲＤＥＳ、１４  光送受信部、１５  監視部、１６  バッファ、２１  制御部、２２  ドライバ、２３  ＬＤ、２４  ＰＤ、２５  ＬＰＦ、２６，１２１，１２２−１〜１２２−５  光ファイバ、１００  ＯＬＴ、１１５−１〜１１５−５  ユーザ端末、１２３  光カプラ、１２４−１〜１２４−５  ケーブル。
【図１】
2007318524.tif 000003
【図２】
2007318524.tif 000004
【図３】
2007318524.tif 000005
【図４】
2007318524.tif 000006
【図５】
2007318524.tif 000007
【図６】
2007318524.tif 000008
【図７】
2007318524.tif 000009